(57)【要約】      （修正有）【課題】簡易な手法で消費者が商品を購入することができる商品販売システムを提供する。【解決手段】店舗１で販売される商品２に取り付けられた二次元コード２０により商品２の販売を管理する商品販売システム１０において、二次元コード２０に記憶された情報を取得する情報取得手段１１ａと、取得された情報が送信されるサーバ１２と、送信された情報に基づいて情報に関する商品２を販売予定商品として登録する商品登録手段と、登録された商品２に関する付加情報を付加した修正情報Ｄ４に基づいて一次元コードを生成する一次元コード生成手段と、生成された一次元コードから修正情報Ｄ４を取得する修正情報取得手段１３と、修正情報Ｄ４が取得された場合に商品登録手段で販売予定商品として登録した商品２の配送先を確認する配送先確認データＤ６を配送先の端末に送信するデータ送信手段とを備える。【選択図】図１
2019159564.tif 000002
【特許請求の範囲】
【請求項１】
店舗で販売される商品に取り付けられた二次元コードに記憶された前記商品に関する情報に基づいて該商品の販売を管理する商品販売システムにおいて、
前記二次元コードに記憶された前記情報を取得する情報取得手段と、
該情報取得手段で取得された前記情報が送信されるサーバと、
該サーバに格納されて該サーバに送信された前記情報に基づいて該情報に関する前記商品を販売予定商品として登録する商品登録手段と、
該商品登録手段で登録された前記商品に関する付加情報を前記情報に付加した修正情報に基づいて一次元コードを生成する一次元コード生成手段と、
該一次元コード生成手段で生成された前記一次元コードから前記修正情報を取得する修正情報取得手段と、
該修正情報取得手段で前記修正情報が取得された場合に前記商品登録手段で販売予定商品として登録した前記商品の配送先を確認する配送先確認データを前記配送先の端末に送信するデータ送信手段と、
を備えることを特徴とする商品販売システム。
【請求項２】
前記付加情報は、
前記商品の製造番号であることを特徴とする請求項１に記載の商品販売システム。
【請求項３】
前記商品登録手段は、
予め設定された時間内に販売予定商品として登録された前記商品に関する前記修正情報が前記修正情報取得手段で取得されなかった場合に前記商品についての販売予定商品としての登録を解除することを特徴とする請求項１または２に記載の商品販売システム。
【請求項４】
前記一次元コード生成手段は、
複数の前記商品に取り付けられた前記各二次元コードに記憶された前記各情報が前記情報取得手段によって取得されて複数の前記商品が販売予定商品として前記商品登録手段によって登録されて複数の前記一次元コードが生成される場合に、複数の該一次元コードにそれぞれ記憶されるべき前記各修正情報に基づいて単一の一次元コードを生成することを特徴とする請求項１〜３のいずれか１項に記載の商品販売システム。
【発明の詳細な説明】
【技術分野】
【０００１】
本発明は、商品販売システム、特に、店舗で販売される商品に取り付けられた二次元コードに記憶された商品に関する情報に基づいて商品の販売を管理する商品販売システムに関する。
【背景技術】
【０００２】
消費者が商品を購入する際に、インターネットのウェブサイト上に掲載された商品を閲覧して、インターネットを経由して商品を購入する、インターネットショッピングとも称される電子商取引が広く普及している。
【０００３】
このような電子商取引においては、一般的に、インターネットを経由して在宅で商品を注文すれば、指定の住所に商品が届けられることから、実際に店舗に赴くことなく、簡便に商品の購入をすることができる。
【０００４】
その一方で、消費者の中には、商品を購入する際には依然として実際の商品を見てから購入を検討したいという要望も強く、特に高額な商品についてはその傾向が顕著である。
【０００５】
このような対策として、特許文献１には、消費者が実店舗において商品を観察し、観察した商品を消費者がインターネット上の仮想カートに投入し、消費者がインターネットを介して仮想カート内に投入した商品の情報をウェブサイト上で閲覧して商品の購入を検討し、検討の結果、その商品を購入する場合は電子商取引で商品を購入する方法が開示されている。
【０００６】
これによれば、ウェブサイト上で商品の情報を閲覧する前に、実店舗において商品を観察することができることから、実際の商品を見てから商品を購入するか否かを検討することができる。
【先行技術文献】
【特許文献】
【０００７】
【特許文献１】特表２００３−５３４６０６公報
【発明の概要】
【発明が解決しようとする課題】
【０００８】
しかし、特許文献１の方法によれば、消費者が実店舗で実際の商品を見て購入を決定したとしても、商品を購入する際には実店舗でそのまま購入するのではなく、電子商取引によって商品を購入することとなる。
【０００９】
したがって、消費者が実店舗で実際の商品を見てその商品の購入を決定した場合において、電子商取引を経由して商品を購入するとなれば、別途の手間を消費者に強いることとなるから、商品に関する取引が停滞することが懸念される。
【００１０】
本発明は、上記事情に鑑みてなされたものであり、簡易な手法で消費者が商品を購入することができる商品販売システムを提供することを課題とするものである。
【課題を解決するための手段】
【００１１】
上記課題を達成するための本発明に係る商品販売システムは、店舗で販売される商品に取り付けられた二次元コードに記憶された商品に関する情報に基づいて商品の販売を管理する商品販売システムにおいて、二次元コードに記憶された情報を取得する情報取得手段と、情報取得手段で取得された情報が送信されるサーバと、サーバに格納されてサーバに送信された情報に基づいて情報に関する商品を販売予定商品として登録する商品登録手段と、商品登録手段で登録された商品に関する付加情報を情報に付加した修正情報に基づいて一次元コードを生成する一次元コード生成手段と、一次元コード生成手段で生成された一次元コードから修正情報を取得する修正情報取得手段と、修正情報取得手段で修正情報が取得された場合に商品登録手段で販売予定商品として登録した商品の配送先を確認する配送先確認データを配送先の端末に送信するデータ送信手段と、を備えることを特徴としており、付加情報は、商品の製造番号であることを特徴としている。
【００１２】
この商品販売システムによれば、店舗で販売される実際の商品を見て商品を購入するか否かを検討し、商品を購入する場合は、商品に取り付けられた二次元コードを情報取得手段で読み取ることによって、商品を販売予定商品として登録することができる。販売予定商品として登録すると、一次元コード生成手段によって、修正情報に基づいた一次元コードが生成される。
【００１３】
修正情報取得手段が一次元コードから修正情報を取得すると、配送先確認データが配送先の端末に送信されることから、商品を購入した消費者は商品の決済が完了したことを確認することができる。
【００１４】
したがって、消費者は、店舗において実際に商品を見て商品の購入を検討する機会を得つつ、商品を購入する場合は、商品に取り付けられた二次元コードを読み取って一次元コードを得るという簡易な手法で、商品を購入することができる。
【００１５】
一方、一次元コードから取得される修正情報は、商品に関する情報に製造番号情報が付加されて構成されていることから、消費者に販売した商品を、商品に付された製造番号単位で把握することができる。
【００１６】
したがって、商品の流通経路を明確にすることができることから、商品の誤返品を受け付けたり、商品に不具合が検知されてリコールがなされる場合に商品を誤回収したりといった、商品の誤処理が発生することが抑制される。
【００１７】
さらに、商品販売システムの商品登録手段は、予め設定された時間内に販売予定商品として登録された商品に関する修正情報が修正情報取得手段で取得されなかった場合に商品についての販売予定商品としての登録を解除することを特徴としている。
【００１８】
このように、販売予定商品として登録された商品について、予め設定された時間内に、修正情報取得手段によって一次元コードから修正情報が取得されない場合には、販売予定商品としての登録が解除されることから、商品販売システムの運用の利便性が向上する。
【００１９】
しかも、商品販売システムの一次元コード生成手段は、複数の商品に取り付けられた各二次元コードに記憶された各情報が情報取得手段によって取得されて複数の商品が販売予定商品として商品登録手段によって登録されて複数の一次元コードが生成される場合に、複数の一次元コードにそれぞれ記憶されるべき各修正情報に基づいて単一の一次元コードを生成することを特徴としている。
【００２０】
このように、複数の商品が販売予定商品として登録されて複数の一次元コードが生成されるような場合には、複数の一次元コードにそれぞれ記憶されるべき各修正情報に基づいて単一の一次元コードが生成されることから、商品販売システムの運用の利便性が向上する。
【発明の効果】
【００２１】
この発明によれば、消費者は、店舗において実際に商品を見て商品の購入を検討する機会を得つつ、商品を購入する場合は、商品に取り付けられた二次元コードを読み取って一次元コードを得るという簡易な手法で、商品を購入することができる。
【図面の簡単な説明】
【００２２】
【図１】本発明の実施の形態に係る商品販売システムの概略を説明する図である。
【図２】同じく本実施の形態に係るサーバ、ＰＯＳレジスタ及びターミナル端末の構成の概略を説明する図である。
【図３】同じく、本実施の形態に係る在庫データベースの構成の概略を説明する図である。
【図４】同じく、本実施の形態に係る修正商品情報が生成される場合の概略を説明する図である。
【図５】同じく、本実施の形態に係る商品登録手段における処理の概略を説明する図である。
【図６】同じく、本実施の形態に係る一次元コード生成手段における処理の概略を説明する図である。
【発明を実施するための形態】
【００２３】
次に、図１〜図６に基づいて、本発明の実施の形態に係る商品販売システムについて説明する。
【００２４】
図１は、本実施の形態に係る商品販売システム１０の概略を説明する図である。図示のように、商品販売システム１０は、商品２を販売する店舗１、店舗１で販売される商品２を購入する消費者であるユーザ３、店舗１でユーザ３に販売された商品２の在庫を保有して商品２の物流管理を行う物流センタ４、及び物流センタ４と店舗１とユーザ３との間の商品２の流通を管理する本部５の間において、商品２に関する情報の処理に用いられるものである。
【００２５】
この商品販売システム１０では、店舗１で販売される商品２に、商品２に関する情報が商品情報Ｄ１として水平方向及び垂直方向に記憶された二次元コード２０が取り付けられており、この二次元コード２０に記憶された商品情報Ｄ１に基づいて、商品２の販売が管理される。
【００２６】
商品販売システム１０は、本実施の形態では、ユーザ３が保有するスマートフォン１１に格納された、商品２に取り付けられた二次元コード２０に記憶された商品情報Ｄ１を取得する情報取得手段である二次元コードリーダ１１ａを備える。
【００２７】
この商品販売システム１０は、二次元コードリーダ１１ａで取得された商品情報Ｄ１が送信されるとともにスマートフォン１１を介して入力されるユーザ３の住所等が顧客情報Ｄ２として送信されるサーバ１２を備える。
【００２８】
さらに商品販売システム１０は、サーバ１２に送信された商品情報Ｄ１に基づいてサーバ１２で生成されてスマートフォン１１に送信された後述する一次元コード表示情報Ｄ３から後述する修正商品情報Ｄ４を取得する修正情報取得手段であるＰＯＳレジスタ１３、及びＰＯＳレジスタ１３からサーバ１２に送信されたＰＯＳレジスタ情報Ｄ５が送信されるターミナル端末１４を備える。
【００２９】
本実施の形態では、サーバ１２は本部５に配置され、ＰＯＳレジスタ１３は店舗１に配置され、かつターミナル端末１４は商品２の在庫を保有する物流センタ４に配置される。
【００３０】
次に、本実施の形態に係る商品販売システム１０の各部の具体的な構成について説明する。
【００３１】
図２は、本実施の形態に係るサーバ１２、ＰＯＳレジスタ１３及びターミナル端末１４の構成の概略を説明する図である。
【００３２】
図示のように、サーバ１２は、通信インターフェース１２ａ、通信インターフェース１２ａと接続される制御部１２ｂ、制御部１２ｂと接続される商品登録手段である商品登録プログラム１２ｃ及び一次元コード生成手段である一次元コード生成プログラム１２ｄ、同じく制御部１２ｂと接続される顧客データベース１２ｅ、及び制御部１２ｂと接続されるデータ送信手段である送信インターフェース１２ｆを備える。
【００３３】
通信インターフェース１２ａは、本実施の形態では、スマートフォン１１から送信される商品情報Ｄ１、顧客情報Ｄ２、ターミナル端末１４から送信される修正商品情報Ｄ４及びＰＯＳレジスタ１３から送信されるＰＯＳレジ情報Ｄ５を受信する。
【００３４】
制御部１２ｂは、通信インターフェース１２ａに送信された商品情報Ｄ１、顧客情報Ｄ２、修正商品情報Ｄ４及びＰＯＳレジ情報Ｄ５に基づいて、商品登録プログラム１２ｃ、一次元コード生成プログラム１２ｄ、顧客データベース１２ｅ及び送信インターフェース１２ｆを制御する。
【００３５】
この制御部１２ｂは、ＰＯＳレジスタ１３からＰＯＳレジスタ情報Ｄ５が入力されると、送信インターフェース１２ｆを介してこのＰＯＳレジスタ情報Ｄ５をターミナル端末１４に送信する。
【００３６】
さらに制御部１２ｂは、ＰＯＳレジスタ１３からＰＯＳレジスタ情報Ｄ５が入力されると、後述する顧客データベース１２ｅにアクセスして、顧客データベース１２ｅに保存された顧客情報Ｄ２とＰＯＳレジスタ情報Ｄ５とに基づいて配送先確認データＤ６を生成し、送信インターフェース１２ｆを介してスマートフォン１１に送信する。
【００３７】
商品登録プログラム１２ｃは、商品情報Ｄ１に関する商品２を販売予定商品として登録するために、商品情報Ｄ１を商品登録情報Ｄ７として把握し、送信インターフェース１２ｆを介してターミナル端末１４に送信する。
【００３８】
一方、商品登録プログラム１２ｃは、予め設定された時間内に、ＰＯＳレジスタ１３から制御部１２ｂにＰＯＳレジスタ情報Ｄ５が入力されない場合には、販売予定商品としての登録を解除するための商品登録解除情報Ｄ７´を生成し、送信インターフェース１２ｆを介してターミナル端末１４に送信する。
【００３９】
一次元コード生成プログラム１２ｄは、ターミナル端末１４から送信されて通信インターフェース１２ａを介してサーバ１２に入力される修正商品情報Ｄ４に基づいて、一次元コード表示情報Ｄ３を生成し、送信インターフェース１２ｆを介してスマートフォン１１に送信する。
【００４０】
この一次元コード生成プログラム１２ｄは、本実施の形態では、異なる複数の修正商品情報Ｄ４が通信インターフェース１２ａを介してサーバ１２に入力された場合には、これら複数の修正商品情報Ｄ４に基づいて、単一の一次元コード表示情報Ｄ３を生成し、送信インターフェース１２ｆを介してスマートフォン１１に送信する。
【００４１】
スマートフォン１１に送信された一次元コード表示情報Ｄ３は、スマートフォン１１のディスプレイにおいて、修正商品情報Ｄ４が水平方向に記憶された一次元コードとして表示される。
【００４２】
顧客データベース１２ｅには、スマートフォン１１から入力されるユーザ３の住所等で構成される顧客情報Ｄ２がデータベース化されて保存される。この顧客データベース１２ｅは、ＰＯＳレジスタ１３からＰＯＳレジスタ情報Ｄ５がサーバ１２に入力されると、修正商品情報Ｄ４が取得されたスマートフォン１１のユーザ３の顧客情報Ｄ２が参照される。
【００４３】
ＰＯＳレジスタ１３は、本実施の形態では、ＰＯＳレジスタ本体１３ａ及びスキャナ１３ｂを備える。このＰＯＳレジスタ１３は、スマートフォン１１のディスプレイに表示される一次元コードをスキャナ１３ｂでスキャンすると、一次元コードに記憶された修正商品情報Ｄ４を取得する。
【００４４】
ＰＯＳレジスタ１３は、修正商品情報Ｄ４を取得すると、この修正商品情報Ｄ４をＰＯＳレジスタ情報Ｄ５として通信インターフェース１２ａを介してサーバ１２に送信する。
【００４５】
ターミナル端末１４は、本実施の形態では、サーバ１２との間で各種の情報の通信を実行するコンピュータ１４ａ、及びコンピュータ１４ａと接続されてコンピュータ１４ａからアクセス可能に配備された在庫データベース１４ｂを備える。
【００４６】
この在庫データベース１４ｂは、物流センタ４で保有される商品２の在庫に関する現在の情報が反映されており、図３で示すように、本実施の形態では、店舗１で販売される商品２の属性に関する商品属性情報Ｄ８によって構成される。
【００４７】
商品属性情報Ｄ８は、本実施の形態では、「商品名」を示す商品名情報ｄ１、「ＪＡＮコード」を示すＪＡＮコード情報ｄ２、商品２の「製造番号」を示す製造番号情報ｄ３、及び商品２の「在庫数量」を示す在庫数量情報ｄ４を含むものである。
【００４８】
この商品属性情報Ｄ８のうち、本実施の形態では、商品名情報ｄ１及びＪＡＮコード情報ｄ２が商品情報Ｄ１と関連づけられており、例えば、商品情報Ｄ１として商品名を「Ａ」とする情報及びＪＡＮコードを「ＡＡＡ」とする情報が格納されている場合は、商品「Ａ」が情報として格納された商品名情報ｄ１及びＪＡＮコード「ＡＡＡ」が情報として格納されたＪＡＮコード情報ｄ２と商品情報Ｄ１とが関連づけられる。
【００４９】
具体的には、ターミナル端末１４のコンピュータ１４ａに、商品登録情報Ｄ７として把握された商品情報Ｄ１がサーバ１２から送信されると、コンピュータ１４ａが在庫データベース１４ｂにアクセスして、商品属性情報Ｄ８と商品情報Ｄ１とが関連づけられる。
【００５０】
図４は、商品属性情報Ｄ８と商品情報Ｄ１とが関連づけられて修正商品情報Ｄ４が生成される場合の概略を説明する図である。図示のように、商品属性情報Ｄ８のうち、製造番号情報ｄ３は商品情報Ｄ１に付加される付加情報ｄαであって、商品名情報ｄ１及びＪＡＮコード情報ｄ２と、商品登録情報Ｄ７として把握された商品情報Ｄ１とが関連づけられると、商品情報Ｄ１に付加情報ｄαである製造番号情報ｄ３が付加されて、修正商品情報Ｄ４が生成される。
【００５１】
本実施の形態では、この修正商品情報Ｄ４が生成される数に応じて、在庫データベース１４ｂにおける商品属性情報Ｄ８の在庫数量情報ｄ４から、在庫数量が減算される。
【００５２】
次に、本実施の形態に係る商品販売システム１０の運用方法について説明する。
【００５３】
商品販売システム１０を利用して店舗１で販売される商品２を購入しようとする場合は、ユーザ３はまず、スマートフォン１１によってユーザ３の顧客情報Ｄ２（例えば、ユーザ３の氏名や商品の配送先となるユーザ３の住所等）を入力する。
【００５４】
顧客情報Ｄ２を入力してユーザ登録を行うと、顧客情報Ｄ２がサーバ１２に送信されて、顧客データベース１２ｅに格納される。これにより、爾後、ユーザ３が顧客情報Ｄ２を入力する必要がなくなる。
【００５５】
ユーザ登録を行った後、ユーザ３が、店舗１で販売される商品２を購入しようとする場合は、商品２に取り付けられた二次元コード２０を、スマートフォン１１に格納された二次元コードリーダ１１ａで読み取って、二次元コード２０に記憶された商品情報Ｄ１を取得する。
【００５６】
取得した商品情報Ｄ１は、スマートフォン１１からサーバ１２に送信され、サーバ１２に送信された商品情報Ｄ１は、商品登録プログラム１２ｃにおいて商品登録情報Ｄ７として把握され、送信インターフェース１２ｆを介してターミナル端末１４に送信される。
【００５７】
図５は、本実施の形態に係る商品登録プログラム１２ｃにおける処理の概略を説明する図である。図示のように、商品登録プログラム１２ｃは、商品情報Ｄ１を商品登録情報Ｄ７として把握して、商品情報Ｄ１に関する商品２を販売予定商品として登録する。
【００５８】
具体的には、例えばユーザ３が店舗１において、異なる３個の商品２にそれぞれ取り付けられた二次元コード２０を二次元コードリーダ１１ａで読み取って取得した商品情報Ｄ１に、商品名をそれぞれ「Ａ」、「Ｂ」及び「Ｃ」とする情報が格納されている場合は、商品属性情報Ｄ８において商品「Ａ」、「Ｂ」及び「Ｃ」が情報として格納された商品名情報ｄ１と商品情報Ｄ１とが関連づけられて、これらの商品名情報ｄ１を有する在庫データベース１４ｂに登録された商品「Ａ」、「Ｂ」及び「Ｃ」が、販売予定商品として登録される。
【００５９】
商品「Ａ」、「Ｂ」及び「Ｃ」が、販売予定商品として登録されると、商品名を「Ａ」、「Ｂ」及び「Ｃ」とする情報がそれぞれ格納されている商品情報Ｄ１に、商品属性情報Ｄ８のうち商品「Ａ」、「Ｂ」及び「Ｃ」に関する製造番号情報ｄ３が付加情報ｄαとして付加されて、ターミナル端末１４のコンピュータ１４ａにおいて修正商品情報Ｄ４が生成される。
【００６０】
修正商品情報Ｄ４が生成されると、この修正商品情報Ｄ４が生成される数に応じて、在庫データベース１４ｂにおける商品属性情報Ｄ８の在庫数量情報ｄ４から、在庫数量が減算される。
【００６１】
本実施の形態では、在庫数量情報ｄ４において、商品「Ａ」の在庫数量が１０から９に減じられ、商品「Ｂ」の在庫数量が６から５に減じられ、更に商品「Ｃ」の在庫数量が２０から１９に減じられる。
【００６２】
ターミナル端末１４のコンピュータ１４ａにおいて生成された修正商品情報Ｄ４は、サーバ１２に送信される。
【００６３】
図６は、本実施の形態に係る一次元コード生成プログラム１２ｄにおける処理の概略を説明する図である。
【００６４】
図６（ａ）で示すように、一次元コード生成プログラム１２ｄは、サーバ１２に入力された修正商品情報Ｄ４に基づいて、一次元コード表示情報Ｄ３を生成する。生成した一次元コード表示情報Ｄ３は、スマートフォン１１に送信されて、スマートフォン１１のディスプレイに一次元コード２１として表示される。
【００６５】
一方、図６（ｂ）で示すように、一次元コード生成プログラム１２ｄは、異なる複数の修正商品情報Ｄ４がサーバ１２に入力された場合には、これら複数の修正商品情報Ｄ４に基づいて、単一の一次元コード表示情報Ｄ３を生成する。生成した単一の一次元コード表示情報Ｄ３は、スマートフォン１１に送信されて、スマートフォン１１のディスプレイに単一の一次元コード２１として表示される。
【００６６】
ユーザ３が、スマートフォン１１の二次元コードリーダ１１ａで読み取った二次元コード２０が取り付けられた商品２を購入する場合は、ＰＯＳレジスタ１３のスキャナ１３ｂにおいて、スマートフォン１１のディスプレイに表示された一次元コード２１をスキャンさせる。
【００６７】
一次元コードがスキャンされると、ＰＯＳレジスタ１３において、一次元コード２１に記憶された修正商品情報Ｄ４が取得され、この修正商品情報Ｄ４がＰＯＳレジスタ情報Ｄ５としてサーバ１２に送信される。
【００６８】
サーバ１２に送信されたＰＯＳレジスタ情報Ｄ５は、修正商品情報Ｄ４が取得されたスマートフォン１１のユーザ３の顧客情報Ｄ２が関連づけられたうえでターミナル端末１４に送信され、販売予定商品として登録されていた商品２が、コンピュータ１４ａにおいて決済完了商品として処理される。
【００６９】
決済完了商品として処理されると、ターミナル端末１４が配備された物流センタ４の作業員は、ユーザ３の顧客情報Ｄ２に基づいて、その商品２について配送処理を行う。
【００７０】
サーバ１２にＰＯＳレジスタ情報Ｄ５が送信されると、制御部１２ｂが顧客データベース１２ｅにアクセスして、修正商品情報Ｄ４が取得されたスマートフォン１１のユーザ３の顧客情報Ｄ２が参照されて、配送先確認データＤ６が生成される。
【００７１】
生成された配送先確認データＤ６は、サーバ１２の送信インターフェース１２ｆによって、ユーザ３のスマートフォン１１に送信される。これにより、ユーザ３は商品２の決済が完了したことを確認することができる。
【００７２】
一方、ユーザ３が、ＰＯＳレジスタ１３のスキャナ１３ｂにおいて、スマートフォン１１のディスプレイに表示された一次元コード２１をスキャンさせないで、一次元コード表示情報Ｄ３が生成されてから予め設定された時間（例えば１２時間）が経過した場合は、ＰＯＳレジスタ１３からサーバ１２の制御部１２ｂにＰＯＳレジスタ情報Ｄ５が入力されないこととなる。
【００７３】
この場合、商品登録プログラム１２ｃは、販売予定商品としての登録を解除するための商品登録解除情報Ｄ７´を生成し、送信インターフェース１２ｆを介してターミナル端末１４に送信する。
【００７４】
ターミナル端末１４に商品登録解除情報Ｄ７´が送信されると、本実施の形態では、在庫データベース１４ｂに登録された商品「Ａ」、「Ｂ」及び「Ｃ」の販売予定商品としての登録が解除される。
【００７５】
このように、本実施の形態の商品販売システム１０では、ユーザ３は、実際の商品２を見て商品２を購入するか否かを検討し、商品２を購入する場合は、商品２に取り付けられた二次元コード２０を二次元コードリーダ１１ａで読み取ることによって、商品２を販売予定商品として登録することができる。
【００７６】
販売予定商品として登録すると、一次元コード生成プログラム１２ｄによって一次元コード表示情報Ｄ３が生成され、ユーザ３のスマートフォン１１のディスプレイに一次元コード２１が表示される。
【００７７】
表示された一次元コード２１をＰＯＳレジスタ１３においてスキャンさせると、商品２は決済完了商品として配送処理に付される一方、配送先確認データＤ６が生成されて、ユーザ３のスマートフォン１１に送信される。これにより、ユーザ３は商品２の決済が完了したことを確認することができる。
【００７８】
したがって、ユーザ３は、店舗１において実際に商品２を見て商品２の購入を検討する機会を得つつ、商品２を購入する場合は、商品２に取り付けられた二次元コード２０を読み取って一次元コード２１を得るという簡易な手法で、商品２を購入することができる。
【００７９】
なお、商品２は物流センタ４からユーザ３に配送されることから、ユーザ３が商品２を自ら持ち帰る手間が省略される。
【００８０】
一方、一次元コード２１に記憶された修正商品情報Ｄ４は、本実施の形態では、商品情報Ｄ１に製造番号情報ｄ３が付加されて構成されていることから、ユーザ３に販売した商品２を、商品２に付された製造番号単位で把握することができる。
【００８１】
したがって、商品２の流通経路を明確にすることができることから、商品２の誤返品を受け付けたり、商品２に不具合が検知されてリコールがなされる場合に商品２を誤回収したりするといった、商品の誤処理が発生することが抑制される。
【００８２】
さらに、本実施の形態では、販売予定商品として登録された商品２について、予め設定された時間内に、ＰＯＳレジスタ１３によって一次元コード２１がスキャンされないで修正商品情報Ｄ４が取得されない場合に、販売予定商品としての登録が解除される。
【００８３】
しかも、複数の商品２が販売予定商品として登録されて複数の一次元コード２１が生成されるような場合には、複数の一次元コード２１にそれぞれ記憶されるべき各修正商品情報Ｄ４に基づいて単一の一次元コード表示情報Ｄ３が生成され、単一の一次元コード２１が表示される。
【００８４】
したがって、商品販売システム１０の運用の利便性が向上する。
【００８５】
なお、本発明は上記実施の形態に限定されることはなく、発明の趣旨を逸脱しない範囲で種々変更可能である。上記実施の形態では、店舗１において商品２が販売される場合を説明したが、店舗１で販売される商品２に代えて、商品見本を店舗１に配備してもよい。
【００８６】
これにより、店舗１の運営者は店舗１に実際の商品２の在庫を保有する必要がなくなることから、商品２の在庫負担が大幅に軽減される。
【００８７】
更には、ユーザ３から商品２の購入がなされた際に、商品２の製造業者に商品２の仕入れを行うようにすれば、物流センタ４において商品２の在庫を確保しておく必要もなくなることから、この場合においても商品２の在庫負担が軽減される。
【００８８】
上記実施の形態では、商品２の購入に先立ってユーザ３の顧客情報Ｄ２を入力する場合を説明したが、例えば、商品販売システム１０を用いて初回の購入を行う際に、販売予定商品として商品２を登録した後に顧客情報Ｄ２を入力するように構成してもよい。
【００８９】
上記実施の形態では、付加情報ｄαが製造番号情報ｄ３である場合を説明したが、製造番号情報ｄ３に限られないで、例えば本部５で付される商品２の個体を識別する番号等であってもよい。
【００９０】
上記実施の形態では、本部５にサーバ１２が配置され、物流センタ４にターミナル端末１４が配置される場合を説明したが、例えばターミナル端末１４がサーバ１２とともに本部５に配置される等、事業の形態に応じて適宜配置される。
【００９１】
上記実施の形態では、ユーザ３の端末がスマートフォン１１である場合を説明したが、例えばいわゆるタブレット端末やその他の情報通信端末であってもよい。
【符号の説明】
【００９２】
１    店舗
２    商品
３    ユーザ
４    物流センタ
５    本部
１０    商品販売システム
１１    スマートフォン（端末）
１１ａ    二次元コードリーダ（情報取得手段）
１２    サーバ
１２ｂ    制御部
１２ｃ    商品登録プログラム（商品登録手段）
１２ｄ    一次元コード生成プログラム（一次元コード生成手段）
１２ｆ    送信インターフェース（データ送信手段）
１３    ＰＯＳレジスタ（修正情報取得手段）
１４    ターミナル端末
１４ａ    コンピュータ
１４ｂ    在庫データベース
２０    二次元コード
２１    一次元コード
Ｄ１    商品情報（情報）
Ｄ２    顧客情報
Ｄ３    一次元コード表示情報
Ｄ４    修正商品情報（修正情報）
Ｄ５    ＰＯＳレジスタ情報
Ｄ６    配送先確認データ
Ｄ７    商品登録情報
Ｄ７´    商品登録解除情報
【図１】
2019159564.tif 000003
【図２】
2019159564.tif 000004
【図３】
2019159564.tif 000005
【図４】
2019159564.tif 000006
【図５】
2019159564.tif 000007
【図６】
2019159564.tif 000008